Podtech/llm-jp-corpus-v4-ja_patent huggingface dataset:
【手続補正書】
【提出日】平成29年3月1日(2017.3.1)
【手続補正１】
【補正対象書類名】特許請求の範囲
【補正対象項目名】全文
【補正方法】変更
【補正の内容】
【特許請求の範囲】
【請求項１】
Ｏ６−メチルグアニン−ＤＮＡメチルトランスフェラーゼ（ＭＧＭＴ）をコードする配列と、キメラな抗原受容体（ＣＡＲ）をコードする配列とを含むポリヌクレオチド。
【請求項２】
前記ＭＧＭＴおよび前記ＣＡＲが、別個のポリペプチドである遺伝子産物として発現される、請求項１に記載のポリヌクレオチド。
【請求項３】
前記ＣＡＲが腫瘍抗原に対して特異的である、請求項１または２に記載のポリヌクレオチド。
【請求項４】
前記ＣＡＲが、ガン細胞上に存在する腫瘍抗原に対して特異的であり、ここで、前記ガンがテモゾロミド（ＴＭＺ）によって処置可能である、請求項１または２に記載のポリヌクレオチド。
【請求項５】
前記腫瘍抗原が、多形性神経膠芽細胞腫（ＧＢＭ）細胞、メラノーマ細胞、リンパ腫細胞、乳ガン細胞、前立腺ガン細胞、神経芽細胞腫細胞、または、ＴＭＺ含有療法により処置可能であるあらゆる他のガン細胞において発現される、請求項３に記載のポリヌクレオチド。
【請求項６】
前記腫瘍抗原が、ＨＥＲ２、ＣＤ１９、ＣＤ２０、ＣＤ２２、カッパ鎖または軽鎖、ＣＤ３０、ＣＤ３３、ＣＤ１２３、ＣＤ３８、ＲＯＲ１、ＥｒｂＢ３／４、ＥＧＦＲ、ＥＧＦＲｖＩＩＩ、ＥｐｈＡ２、ＦＡＰ、ガン胎児性抗原、ＥＧＰ２、ＥＧＰ４０、メソテリン、ＴＡＧ７２、ＰＳＭＡ、ＮＫＧ２Ｄリガンド、Ｂ７−Ｈ６、ＩＬ−１３受容体α２、ＩＬ−１１受容体α、ＭＵＣ１、ＭＵＣ１６、ＣＡ９、ＧＤ２、ＧＤ３、ＨＭＷ−ＭＡＡ、ＣＤ１７１、ルイスＹ、Ｇ２５０／ＣＡＩＸ、ＨＬＡ−ＡＩ  ＭＡＧＥ  Ａ１、ＨＬＡ−Ａ２  ＮＹ−ＥＳＯ−１、ＰＳＣ１、葉酸受容体−α、ＣＤ４４ｖ７／８、８Ｈ９、ＮＣＡＭ、ＶＥＧＦ受容体、５Ｔ４、胎児性ＡｃｈＲ、ＮＫＧ２Ｄリガンド、ＣＤ４４ｖ６、ＴＥＭ１、ＴＥＭ８、前記腫瘍によって発現されるウイルス関連抗原、あるいは、腫瘍のゲノム分析および／または示差的発現研究を介して特定される他の腫瘍関連抗原を含めて、前記腫瘍および／または関連腫瘍間質において発現されるいずれかの抗原である、請求項３に記載のポリヌクレオチド。
【請求項７】
請求項１〜６のいずれか一項に記載のポリヌクレオチドを含む発現ベクター。
【請求項８】
ウイルスベクターである、請求項７に記載のベクター。
【請求項９】
レトロウイルスベクター、レンチウイルスベクター、アデノウイルスベクターまたはアデノ関連ウイルスベクターである、請求項８に記載のベクター。
【請求項１０】
請求項７〜９のいずれか一項に記載される発現ベクターを含む細胞。
【請求項１１】
免疫系細胞としてさらに定義される、請求項１０に記載の細胞。
【請求項１２】
Ｔ細胞、ＮＫ細胞またはＮＫＴ細胞、あるいは、エフェクター機能を有するあらゆる他の免疫細胞としてさらに定義される、請求項１０に記載の細胞。
【請求項１３】
Ｔ細胞としてさらに定義される、請求項１０に記載の細胞。
【請求項１４】
テモゾロミド（ＴＭＺ）により処置可能であるガンを処置するための組成物であって、請求項１０〜１３のいずれか一項に記載される細胞の治療効果的な量を含有し、ＴＭＺを受けている個体、ＴＭＺを受けたことがある個体、または、ＴＭＺを受けるであろう個体に送達するための、組成物。
【請求項１５】
治療効果的な量のＴＭＺを前記個体に送達される、請求項１４記載の組成物。
【請求項１６】
前記細胞および前記ＴＭＺが同時に送達される、請求項１５に記載の組成物。
【請求項１７】
前記細胞および前記ＴＭＺが別個の時間で送達される、請求項１５に記載の組成物。
【請求項１８】
前記細胞および前記ＴＭＺが同じ送達経路によって送達される、請求項１５に記載の組成物。
【請求項１９】
前記細胞および前記ＴＭＺが異なる送達経路によって送達される、請求項１５に記載の組成物。
【請求項２０】
前記ガンが、多形性神経膠芽細胞腫、メラノーマ、リンパ腫、乳ガン、前立腺ガン、神経芽細胞腫、または、ＴＭＺ含有療法により処置可能であるあらゆる他のガンである、請求項１４〜１９のいずれか一項に記載の組成物。
【請求項２１】
前記ガンが転移性ガンである、請求項１４〜２０のいずれか一項に記載の組成物。
【請求項２２】
前記ＣＡＲが、ＨＥＲ２、ＣＤ１９、ＣＤ２０、ＣＤ２２、カッパ鎖または軽鎖、ＣＤ３０、ＣＤ３３、ＣＤ１２３、ＣＤ３８、ＲＯＲ１、ＥｒｂＢ３／４、ＥＧＦＲ、ＥＧＦＲｖＩＩＩ、ＥｐｈＡ２、ＦＡＰ、ガン胎児性抗原、ＥＧＰ２、ＥＧＰ４０、メソテリン、ＴＡＧ７２、ＰＳＭＡ、ＮＫＧ２Ｄリガンド、Ｂ７−Ｈ６、ＩＬ−１３受容体α２、ＩＬ−１１受容体Ｒα、ＭＵＣ１、ＭＵＣ１６、ＣＡ９、ＧＤ２、ＧＤ３、ＨＭＷ−ＭＡＡ、ＣＤ１７１、ルイスＹ、Ｇ２５０／ＣＡＩＸ、ＨＬＡ−ＡＩ  ＭＡＧＥ  Ａ１、ＨＬＡ−Ａ２  ＮＹ−ＥＳＯ−１、ＰＳＣ１、葉酸受容体−α、ＣＤ４４ｖ７／８、８Ｈ９、ＮＣＡＭ、ＶＥＧＦ受容体、５Ｔ４、胎児性ＡｃｈＲ、ＮＫＧ２Ｄリガンド、ＣＤ４４ｖ６、ＴＥＭ１、ＴＥＭ８、前記腫瘍によって発現されるウイルス関連抗原、あるいは、腫瘍のゲノム分析および／または示差的発現研究を介して特定される他の腫瘍関連抗原を含めて、前記腫瘍および／または関連腫瘍間質において発現されるいずれかの抗原に対して特異的である、請求項１４〜２１のいずれか一項に記載の組成物。
【請求項２３】
さらなるガン処置を前記個体に送達する、請求項１４〜２２のいずれか一項に記載の組成物。
【請求項２４】
前記さらなるガン処置が、手術、化学療法、免疫療法、放射線、ホルモン療法またはそれらの組合せを含む、請求項２３のいずれか一項に記載の組成物。
【請求項２５】
前記個体が、メチル化されていないＭＧＭＴプロモーターを有するとき、前記個体には、効果的な量のＯ６−ベンジルグアニン（Ｏ６−ＢＧ）が与えられる、請求項１４〜２４のいずれか一項に記載の組成物。
【請求項２６】
前記個体が、前記ガンと診断されている、請求項１４〜２５のいずれか一項に記載の組成物。
【請求項２７】
請求項１〜６のいずれか一項に記載されるポリヌクレオチド、請求項７〜９のいずれか一項に記載される発現ベクター、および／または、請求項１０〜１３のいずれか一項に記載される細胞を含むキット。
【手続補正書】
【提出日】平成29年11月15日(2017.11.15)
【手続補正１】
【補正対象書類名】特許請求の範囲
【補正対象項目名】全文
【補正方法】変更
【補正の内容】
【特許請求の範囲】
【請求項１】
２０％ｗ／ｗ乾燥細胞重量を超える細胞脂質、および
総脂肪酸の１０％超であるエイコサペンタエン酸（ＥＰＡ）
を含むフィチウム（Ｐｙｔｈｉｕｍ）バイオマス由来のトリアシルグリセロール油。
【請求項２】
前記フィチウムバイオマスの増大に利用される基質は、グルコース、デキストロース、ラクトース、キシロース、スクロース、フルクトース、またはこれら２つの任意の好適な組合せから選択される、請求項１に記載のトリアシルグリセロール油。
【請求項３】
前記バイオマスが、さらに少なくとも１種の窒素源を含み、前記窒素源が酵母菌抽出物、ＤＡＰ、尿素、ＮａＮＯ3、ＣＳＬまたはこれらの２以上の組合せから選択される、請求項１に記載のトリアシルグリセロール油。
【請求項４】
２０％ｗ／ｗ乾燥細胞重量を超える細胞脂質、および
総脂肪酸の１０％超であるエイコサペンタエン酸（ＥＰＡ）
を含み、アラキドン酸（ＡＲＡ）は、総脂肪酸の５％未満を含む、フィチウムバイオマス由来のトリアシルグリセロール油。
【請求項５】
前記フィチウムバイオマスの増大に利用される基質は、グルコース、デキストロース、ラクトース、キシロース、スクロース、フルクトース、またはこれら２つの任意の好適な組合せから選択される、請求項４に記載のトリアシルグリセロール油。
【請求項６】
前記バイオマスが、さらに少なくとも１種の窒素源を含み、前記窒素源が酵母菌抽出物、ＤＡＰ、尿素、ＮａＮＯ3、ＣＳＬまたはこれらの２以上の組合せから選択される、請求項４に記載のトリアシルグリセロール油。
【請求項７】
（ｉ）好適な量のフィチウム培養物を供給する工程；
（ｉｉ）前記好適な量のフィチウム培養物からの基質を用いてフィチウムバイオマスを増大させる工程；
（ｉｉｉ）前記フィチウムバイオマスからトリアシルグリセロール油を抽出する工程、を有し、
少なくとも前記トリアシルグリセロール油は、２０％ｗ／ｗ乾燥細胞重量を超える細胞脂質を含み、少なくとも１種のトリアシルグリセロール油に含まれる総脂肪酸の１０％超がエイコサペンタエン酸（ＥＰＡ）である、
少なくとも１種類のトリアシルグリセロール油の生産方法。
【請求項８】
前記フィチウムバイオマスの増大に利用される前記基質は、グルコース、デキストロース、ラクトース、キシロース、スクロース、フルクトース、またはこれら２つの任意の好適な組合せから選択される、請求項７に記載の少なくとも１種類のトリアシルグリセロール油の生産方法。
【請求項９】
前記バイオマスが、さらに少なくとも１種の窒素源を含み、前記窒素源が酵母菌抽出物、ＤＡＰ、尿素、ＮａＮＯ3、ＣＳＬまたはこれらの２以上の組合せから選択される、請求項７に記載のトリアシルグリセロール油。
【手続補正書】
【提出日】平成29年2月13日(2017.2.13)
【手続補正１】
【補正対象書類名】特許請求の範囲
【補正対象項目名】全文
【補正方法】変更
【補正の内容】
【特許請求の範囲】
【請求項１】
ＥＵＶリソグラフィデバイス（１）のための照明システム（１０）であって、
ＥＵＶ放射（４）を反射するファセット要素（１３ａ〜ｄ）を有する第１のファセットミラー（１３）と、
前記第１のファセットミラー（１３）によって反射された前記ＥＵＶ放射（４）を照明視野（ＢＦ）上に反射するためのファセット要素（１４ａ〜ｄ）を有する第２のファセットミラー（１４）と
を含み、
前記第２のファセットミラー（１４）の前記ファセット要素（１４ａ、ｃ；１４ｂ、ｄ）のうちの少なくとも１つが、前記ＥＵＶ放射（４）を回折させるための回折光学要素として設計され、
前記第２のファセットミラー（１４）の前記ファセット要素（１４ａ、ｃ；１４ｂ、ｄ）のうちの少なくとも１つが、前記照明視野（ＢＦ）の一部（Ｔ１；Ｔ２）のみを照明するための回折光学要素として設計される、
ことを特徴とする照明システム。
【請求項２】
前記ファセット要素（１４ａ、ｃ）が前記照明視野（ＢＦ）の一部（Ｔ１）を照明するように設計され、前記一部が少なくとも２つの非連続な部分領域（Ａ１、Ａ２）を含む、請求項１に記載の照明システム。
【請求項３】
前記第２のファセットミラー（１４）が、前記照明視野（ＢＦ）の第１の部分（Ｔ１）を照明するための複数の第１のファセット要素（１４ａ、ｃ）と、前記照明視野（ＢＦ）の第２の部分（Ｔ２）を照明するための複数の第２のファセット要素（１４ｂ、ｄ）とを有し、前記第２の部分が前記第１の部分と異なる、請求項１または２に記載の照明システム。
【請求項４】
前記第１のファセットミラー（１３）のファセット要素（１３ａ〜ｄ）が、前記第２のファセットミラー（１４）の前記第１のファセット要素（１４ａ、ｃ）を照明するための第１の位置と、前記第２のファセットミラー（１４）の前記第２のファセット要素（１４ｂ、ｄ）を照明するための少なくとも第２の位置との間で切り替え可能である、請求項３に記載の照明システム。
【請求項５】
前記第２のファセットミラー（１４）の前記ファセット要素（１４ａ〜ｄ）は、第１のファセット要素（１４ａ、ｃ）が第２のファセット要素（１４ｂ、ｄ）と交互になる格子配列を形成する、請求項３または４に記載の照明システム。
【請求項６】
前記ファセット要素（１３ａ〜ｄ、１４ａ〜ｄ）のうちの少なくとも１つが、ＥＵＶ放射（４）を放射センサ（２５）上に偏向させるための回折光学要素として設計される、請求項１から５までのいずれか１項に記載の照明システム。
【請求項７】
前記ファセット要素（１３ａ〜ｄ、１４ａ〜ｄ）のうちの少なくとも１つが、平坦表面形態を有する、請求項１から６までのいずれか１項に記載の照明システム。
【請求項８】
少なくとも１つの回折ファセット要素（１３ａ〜ｄ、１４ａ〜ｄ）が、付形面（２６ａ）を有する基板（２６）と、ＥＵＶ放射（４）を反射するための多層被覆（２８）とを有し、前記多層被覆が前記基板（２６）に施される、請求項１から７までのいずれか１項に記載の照明システム。
【請求項９】
前記基板（２６）が、多段表面プロファイル（２７ｂ、２７ｃ）を有する、請求項８に記載の照明システム。
【請求項１０】
少なくとも１つの回折ファセット要素（１３ａ〜ｄ、１４ａ〜ｄ）が、前記ＥＵＶ放射（４）の波長（λB）の大きさの程度の横方向範囲（Ｄ）を有するグレーティング構造（２７ａ〜ｃ）を有する、請求項１から９までのいずれか１項に記載の照明システム。
【請求項１１】
請求項１から１０までのいずれか１項に記載の照明システム（１０）を含むＥＵＶリソグラフィデバイス（１）。
【請求項１２】
前記第１のファセットミラー（１３）の前記ファセット要素（１３ａ〜ｄ）のうちの少なくとも１つが、回折光学要素として設計される、請求項１に記載の照明システム。
【手続補正書】
【提出日】平成29年2月10日(2017.2.10)
【手続補正１】
【補正対象書類名】特許請求の範囲
【補正対象項目名】全文
【補正方法】変更
【補正の内容】
【特許請求の範囲】
【請求項１】
閉じ込めチューブを有する誘導結合プラズマ（ＩＣＰ）トーチにエアロゾル試料を噴射するための噴射器であって、
流体入力ポートと、前記流体入力ポートと流体連通する流体噴射端とを有する外側管を備え、
前記流体入力ポートは、流体を含む第１の材料流れを受け入れるように構成され、
前記外側管は、前記流体入力ポートから前記第１の材料流れを前記流体噴射端に移送して前記流体を前記流体噴射端から前記閉じ込めチューブに噴射できるように構成されており、
前記外側管の内部に配置され、試料受入端と試料噴射端とを有する移送管を備え、
前記試料受入端は、エアロゾルを含む第２の材料流れを受け入れるように構成され、
前記移送管は、前記試料受入端から前記第２の材料流れを前記試料噴射端に移送して前記エアロゾルを前記試料噴射端から前記閉じ込めチューブに噴射できるように構成されており、
前記移送管は、前記外側管と同軸であり、
材料流れを移送するように構成された２つだけの同軸管を備える、
噴射器。
【請求項２】
前記試料噴射端は前記外側管の外側に位置している、請求項１の噴射器。
【請求項３】
前記試料噴射端は前記外側管内に位置する、請求項１の噴射器。
【請求項４】
前記外側管は、前記流体噴射端から噴射軸に沿って延び、前記移送管は、前記試料噴射端から前記噴射軸に沿って延びる、請求項１から３のいずれか一項の噴射器。
【請求項５】
前記外側管及び前記移送管は同軸である、請求項２から４のいずれかの噴射器。
【請求項６】
前記試料噴射端は、１mmよりも大きな範囲の距離だけ前記流体噴射端を超えて延びる、請求項２から５のいずれかの噴射器。
【請求項７】
前記移送管の内部空間と流体連通し、粒子を前記移送管の前記内部空間に移送するように構成された液滴生成器をさらに備える、請求項１から６のいずれかの噴射器。
【請求項８】
前記液滴生成器と前記移送管との間に連結される脱溶媒ユニットをさらに備える、請求項７の噴射器。
【請求項９】
前記流体噴射端は、1.5mmから３mmの範囲の内径を有する、請求項１の噴射器。
【請求項１０】
前記試料受入端の内径は前記試料噴射端の内径と等しい、請求項１の噴射器。
【請求項１１】
前記外側管は、前記流体噴射端から噴射軸に沿って延び、
前記移送管は、前記試料噴射端から前記噴射軸に沿って延び、
前記噴射軸に沿って測定したときの前記流体噴射端と前記試料噴射端との間の距離は０mmから20mmの範囲にある、
請求項１の噴射器。
【請求項１２】
前記噴射軸に沿って測定したときの前記流体噴射端と前記試料噴射端との間の前記距離は０mmから15mmの範囲にある、請求項11の噴射器。
【請求項１３】
前記噴射器は、前記外側管及び前記移送管それぞれにより移送される前記第１及び第２の材料流れを加熱するように構成されたヒータを含んでいない、請求項１の噴射器。
【請求項１４】
前記移送管は、前記試料噴射端から噴射軸に沿って延び、
前記外側管の一部は、前記流体噴射端から前記噴射軸に沿って延び、
前記流体入力ポートは、前記噴射軸とは異なる軸に沿って前記第２の材料流れを前記外側管の前記一部に移送するように構成されている、
請求項１の噴射器。
【請求項１５】
前記移送管は、前記試料噴射端から噴射軸に沿って延び、
前記外側管は、その内部で前記第１の材料流れを前記噴射軸に沿って移送可能な空間を規定する内面を含み、
前記外側管は、さらに壁を含み、
前記外側管の内面は、前記流体噴射端と前記壁との間で前記噴射軸に沿って延び、
前記壁は、前記移送管が前記外側管の内部に配置されるように前記移送管を挿入できる開口を含み、
請求項１の噴射器。
【請求項１６】
前記壁と前記移送管との間に介在する管ガイドをさらに備える、請求項15の噴射器。
【請求項１７】
前記管ガイドは、前記内面から離間している、請求項16の噴射器。
【請求項１８】
前記試料噴射端は、0.5mm以上の内径を有する、請求項１の噴射器。
【請求項１９】
前記試料噴射端は、１mm以上の内径を有する、請求項18の噴射器。
【請求項２０】
その閉じ込めチューブ内にプラズマを生成するように構成されたプラズマトーチに近接して配置されるように構成された噴射器を備え、
前記噴射器は、
流体噴射端を有する外側管であって、流体の外側噴射器流れを前記流体噴射端に移送して前記流体を前記流体噴射端から前記閉じ込めチューブに噴射できるように構成された外側管と、
前記流体噴射端で前記外側管の内部に配置され、試料噴射端を有する移送管であって、前記試料噴射端を介して材料を含むキャリア流れを噴射できるように構成された移送管と
を備え、
前記外側管は、前記閉じ込めチューブ内に、比較的激しい乱流の流体流れを含む第１のゾーンと、比較的弱い乱流の流体流れを含む第２のゾーンとを生成するように構成され、
前記第１のゾーンは前記第２のゾーンよりも前記流体噴射端に近く、
前記試料噴射端は、前記第２のゾーン内に位置し、
前記移送管は、前記試料噴射端から前記材料を含むキャリア流れを前記第２のゾーンに噴射できるように構成されている、
装置。
【請求項２１】
前記プラズマトーチをさらに含む、請求項20の装置。
【請求項２２】
前記プラズマトーチは、前記閉じ込めチューブを有する誘導結合プラズマ（ＩＣＰ）トーチである、請求項21の装置。
【請求項２３】
第１の管と該第１の管の内部に配置された第２の管とを有する噴射器をプラズマトーチに挿入し、
内部にプラズマを生成可能な前記プラズマトーチにより規定される空間に前記第１の管の噴射端から第１の材料流れを噴射し、
前記空間に前記第２の管の噴射端からエアロゾルを含む第２の材料流れを噴射する、
方法。
【請求項２４】
前記第２の管は、前記第１の管と同軸である、請求項23の方法。
【請求項２５】
前記第１の材料流れはガスを含む、請求項23の方法。
【請求項２６】
前記ガスはアルゴン（Ar）を含む、請求項25の方法。
【請求項２７】
さらに、ターゲット材料のレーザアブレーションにより前記エアロゾルを生成する、請求項23の方法。
【請求項２８】
さらに、
前記第２の管の外側で前記生成されたエアロゾルを捕捉し、
前記捕捉されたエアロゾルを前記第２の管に移送する、
請求項27の方法。
【手続補正書】
【提出日】平成29年2月27日(2017.2.27)
【手続補正１】
【補正対象書類名】明細書
【補正対象項目名】００４９
【補正方法】変更
【補正の内容】
【００４９】
上記制御は熱的制御ループ１０９を含み、熱的制御ループ１０９は、第２能動部品１０７．６の温度調整装置１０７．７、検出装置１１０．６、及び制御装置１０８を具えている。温度調整装置１０７．７は、例えばペルチェ素子の形態の一連の温度調整素子を具え、これらは、動作中に光学素子１０６．６上に作用する熱負荷に応じて、かつ実現すべき所望温度分布ＴＳＥに応じて、光学素子１０６．６全体にわたって分布する様式に配列されている。
【手続補正２】
【補正対象書類名】明細書
【補正対象項目名】００５９
【補正方法】変更
【補正の内容】
【００５９】
検出装置１１０．６の熱モデル１１１．４は、モデル１１１．１及び１１１．２から累積した光学素子１０６．６上の実際の熱負荷分布と、作用する熱負荷分布の累積から生じた、それぞれの温度センサの第２位置における真の実際温度ＴＳとの関係（本発明の意味での第２関係）を表す。この場合、例えば光学素子１０６．６（それ自体は能動素子として構成される）の実際の動作パラメータのような他の影響変数を考慮に入れることができることは言うまでもない。
【手続補正書】
【提出日】平成29年3月6日(2017.3.6)
【手続補正１】
【補正対象書類名】特許請求の範囲
【補正対象項目名】全文
【補正方法】変更
【補正の内容】
【特許請求の範囲】
【請求項１】
光学フィルターであって、
第１の材料を備える第１の層および第２の材料を備える第２の層を含むバンドパス・フィルターであり、前記第１の層および前記第２の層は、横方向に可変の透過波長を提供するために、第１の横方向に変化する厚さを有している、バンドパス・フィルターと、
第３の材料を備える第３の層および第４の材料を備える第４の層を含むブロッキング・フィルターであり、前記第３の層および前記第４の層は、前記横方向に可変の透過波長とは異なる波長範囲の中の波長をブロックするために、前記第１の横方向に変化する厚さと調和した第２の横方向に変化する厚さを有している、ブロッキング・フィルターと
を含み、
前記バンドパス・フィルターは、追加的な層をさらに含み、前記追加的な層は、前記第４の材料を含み、前記バンドパス・フィルターの内側の定在光波の局所的な最小値の領域に配置されている、光学フィルター。
【請求項２】
光学フィルターが、基板上に配置されている、請求項１に記載の光学フィルター。
【請求項３】
前記基板が、光検出器アレイである、請求項２に記載の光学フィルター。
【請求項４】
前記ブロッキング・フィルターが第１のブロッキング・フィルターであり、前記光学フィルターが第２のブロッキング・フィルターをさらに含む、請求項１に記載の光学フィルター。
【請求項５】
前記バンドパス・フィルターが、前記第１のブロッキング・フィルターと前記第２のブロッキング・フィルターの間に位置する、請求項４に記載の光学フィルター。
【請求項６】
前記ブロッキング・フィルターが複数の部分を含み、
前記複数の部分の各部分がブロッキング・バンドで結びつけられ、各ブロッキング・バンドが特定の波長範囲をカバーするためにカスケード接続されている、請求項１に記載の光学フィルター。
【請求項７】
前記第１の材料、前記第２の材料および前記第３の材料がそれぞれ異なる、請求項１に記載の光学フィルター。
【請求項８】
前記バンドパス・フィルターが、第１および第２の反射体スタックの間に位置する誘電体スペーサー層を含む、請求項１に記載の光学フィルター。
【請求項９】
前記バンドパス・フィルターが、複数のキャビティーを含む、請求項１に記載の光学フィルター。
【請求項１０】
光学フィルターであって、
バンドパス・フィルターと、
ブロッキング・フィルターと
を含み、
前記バンドパス・フィルターが、
第１の材料を備える第１の層と、
第２の材料を備える第２の層と、
前記バンドパス・フィルターの内側の定在光波の局所的な最小値の領域に配置されている第３の層と
を備え、
前記ブロッキング・フィルターが、
第３の材料を備える第４の層と、
第４の材料を備える第５の層と
を備える、光学フィルター。
【請求項１１】
前記第３の層が第４の材料を備え、
前記第１の材料、前記第２の材料および前記第４の材料がそれぞれ異なる、請求項１０に記載の光学フィルター。
【請求項１２】
前記第１の層および前記第２の層が、横方向に変化する厚さを有し、
前記第４の層および前記第５の層が、前記横方向に変化する厚さと調和したもう１つの横方向に変化する厚さを有する、請求項１０に記載の光学フィルター。
【請求項１３】
前記ブロッキング・フィルターが、第１のブロッキング・フィルターであり、
前記光学フィルターが、第２のブロッキング・フィルターをさらに含み、
前記バンドパス・フィルターが、前記第１のブロッキング・フィルターと前記第２のブロッキング・フィルターとの間に位置する、請求項１０に記載の光学フィルター。
【請求項１４】
光学フィルターが、基板上に配置されている、請求項１０に記載の光学フィルター。
【請求項１５】
前記基板が、光検出器アレイである、請求項１４に記載の光学フィルター。
【請求項１６】
前記ブロッキング・フィルターが複数の部分を含み、
前記複数の部分の各部分がブロッキング・バンドで結びつけられ、各ブロッキング・バンドが特定の波長範囲をカバーするためにカスケード接続されている、請求項１０に記載の光学フィルター。
【請求項１７】
前記バンドパス・フィルターが、
第１および第２の反射体スタックの間に位置する誘電体スペーサー層と、
複数のキャビティーと
を含む、請求項１０に記載の光学フィルター。
【請求項１８】
光学フィルターを製造する方法であって、
基板、バンドパス・フィルターおよびブロッキング・フィルターを提供すること、
前記バンドパス・フィルターを前記ブロッキング・フィルターに配置すること、ここで前記バンドパス・フィルターが、第１の材料を備える第１の層と、第２の材料を備える第２の層と、前記バンドパス・フィルターの内側の定在光波の局所的な最小値の領域に配置されている第３の層とを備えること、および
前記ブロッキング・フィルターを前記基板に配置すること、ここで前記ブロッキング・フィルターが、第３の材料を備える第４の層と、第４の材料を備える第５の層と
を備えること
を含む方法。
【請求項１９】
前記基板に光検出器のアレイを形成すること、および
前記光検出器のアレイを露出させるように表面をポリッシングすること
をさらに含む、請求項１８に記載の方法。
【請求項２０】
前記基板に結合パッドを形成すること
をさらに含む、請求項１８に記載の方法。
【手続補正書】
【提出日】平成29年1月18日(2017.1.18)
【手続補正１】
【補正対象書類名】特許請求の範囲
【補正対象項目名】全文
【補正方法】変更
【補正の内容】
【特許請求の範囲】
【請求項１】
向上された軽量の吸音材であって、
少なくとも１つのスクリム層を含み、前記少なくとも１つのスクリム層は、前記少なくとも１つのスクリム層の折重部分同士の間に複数の空気空間を形成するように、自身または別のスクリム層に接合される少なくとも１つの平坦でない折り重ねられたスクリム層を含んでおり、前記少なくとも１つのスクリム層は、前記吸音材の対向する露出した側にわたって延在する厚さを確立する、向上された軽量の吸音材。
【請求項２】
前記吸音材は、前記少なくとも１つのスクリム層のうち１つのみを含む、請求項１に記載の向上された軽量の吸音材。
【請求項３】
前記空気空間の少なくともいくつかに配置される厚くて弾力性のある繊維材料をさらに含む、請求項２に記載の向上された軽量の吸音材。
【請求項４】
前記スクリム層は蛇行した経路上を延在する、請求項２に記載の向上された軽量の吸音材。
【請求項５】
前記空気空間は互いに重畳する関係でずれて配置される、請求項２に記載の向上された軽量の吸音材。
【請求項６】
互いに接合される複数の前記少なくとも１つのスクリム層をさらに含む、請求項１に記載の向上された軽量の吸音材。
【請求項７】
前記空気空間は、前記スクリム層の隣接したもの同士の間に形成される、請求項６に記載の向上された軽量の吸音材。
【請求項８】
前記空気空間の少なくともいくつかに配置される厚くて弾力性のある繊維材料をさらに含む、請求項７に記載の向上された軽量の吸音材。
【請求項９】
前記複数のスクリム層は、互いに接合される少なくとも３つのスクリム層を含む、請求項６に記載の向上された軽量の吸音材。
【請求項１０】
前記スクリム層の少なくとも１つは平坦である、請求項９に記載の向上された軽量の吸音材。
【請求項１１】
前記少なくとも１つの平坦でない折り重ねられたスクリム層は、前記少なくとも１つの平坦なスクリム層の対の間に挟まれる、請求項１０に記載の向上された軽量の吸音材。
【請求項１２】
前記少なくとも１つの平坦でない折り重ねられたスクリム層が蛇行した経路に沿って延在する、請求項１１に記載の向上された軽量の吸音材。
【請求項１３】
前記少なくとも１つの平坦でない折り重ねられたスクリム層がアコーディオンの態様で折り重ねられる、請求項１１に記載の向上された軽量の吸音材。
【請求項１４】
前記少なくとも１つの平坦でない折り重ねられたスクリム層は、前記平坦でない折り重ねられたスクリム層の対を含み、前記少なくとも１つの平坦なスクリム層は、前記平坦でない折り重ねられたスクリム層の対の間に挟まれる、請求項１０に記載の向上された軽量の吸音材。
【請求項１５】
前記複数のスクリム層は、互いに接合されるスクリム層の対を含む、請求項６に記載の向上された軽量の吸音材。
【請求項１６】
前記スクリム層の１つは平坦である、請求項１５に記載の向上された軽量の吸音材。
【請求項１７】
向上された軽量の吸音材を構築する方法であって、
少なくとも１つのスクリム層を折り重ねることと、
前記少なくとも１つのスクリム層の折重部分同士の間に複数の空気空間を形成するよう、前記少なくとも１つのスクリム層をそれ自身または別のスクリム層に接合することとを含む、方法。
【請求項１８】
付加的な材料の層を含むことなく前記吸音材を構築するために単一のスクリム層を使用することをさらに含む、請求項１７に記載の方法。
【請求項１９】
前記空気空間の少なくともいくつかに厚くて弾力性のある繊維材料を配置することをさらに含む、請求項１８に記載の方法。
【請求項２０】
互いにずれて配置され重畳する関係で前記空気空間を形成することをさらに含む、請求項１８に記載の方法。
【請求項２１】
付加的な材料の層を含むことなく複数のスクリム層を互いに接合することをさらに含む、請求項１７に記載の方法。
【請求項２２】
前記空気空間の少なくともいくつかに厚くて弾力性のある繊維材料を配置することをさらに含む、請求項２１に記載の方法。
【手続補正書】
【提出日】平成29年2月2日(2017.2.2)
【手続補正１】
【補正対象書類名】特許請求の範囲
【補正対象項目名】全文
【補正方法】変更
【補正の内容】
【特許請求の範囲】
【請求項１】
取り付け板と、カラーと、捕捉板と、楔解放と、楔付勢ばねと、少なくとも１つの取り付けスタッドと、解放機構と、を備えている機器取付台において、
前記取り付け板は、互いに反対側の前面と後面を備えており、
前記カラーは、前記取り付け板の前記前面へ連結されて、皿孔を備えており、
前記捕捉板は、前記カラーへ連結されて、幅広端と幅狭端を備える鍵穴型スロット孔を備えており、前記鍵穴型スロット孔は、前記幅狭端が前記皿孔を部分的に覆うように、当該皿孔と長手方向に整列しており、
前記楔解放は、前記カラーへ連結されており、
前記楔付勢ばねは、前記楔解放をロック位置に付勢するために前記カラーと前記楔解放の間に連結されており、
前記少なくとも１つの取り付けスタッドは、前記取り付け板の前記後面へ連結されており、前記少なくとも１つの取り付けスタッドの各々は、前記取り付け板の前記後面から外向きに延びている軸部分と、該軸部分の遠位端に配置されている拡大頭部分とを備えており、
前記解放機構は、前記取り付け板へ連結されており、
前記解放機構は、
前記取り付け板を貫いて配置されていて伸展位置では前記後面から外向きに伸びているロックピンと、
前記ロックピンを前記伸展位置に付勢しているばねと、
前記ロックピンを引き込み位置と前記伸展位置の間で移行させるように動作可能に前記ロックピンへ連結されている少なくとも１つのロックピン解放と、を備えており、
前記機器取付台は、機器板と皿と楔とを備えている楔インターフェースを備えており、
前記皿は、複数の捕捉案内を、該皿の反対側に含んでおり、
前記楔は、前記機器板と前記皿の間に連結されており、前記楔が前記捕捉板の前記鍵穴型スロット孔と摺動可能に連結するときに、当該楔の当該鍵穴型スロット孔の前記幅狭端との整列を支援する導入面及び２つの斜面を備えている、機器取付台。
【請求項２】
請求項１に記載の機器取付台において、
前記皿は捕捉トラフを備え、前記楔解放はブレードを備えており、前記ブレードは、前記楔解放がロック解除位置にあるとき、前記皿孔の底面と面一となっており、
前記ブレードは、前記楔解放が前記ロック位置にあるとき、前記皿孔の前記底面と面一でなく、前記皿が前記皿孔の中へ挿入されたときに前記皿の前記捕捉トラフに係合して前記楔インターフェースの前記皿孔に対する運動を制限するように位置決めされる、機器取付台。
【請求項３】
請求項１に記載の機器取付台において、
前記皿孔は複数の案内壁を備え、前記皿は複数の側面を備えており、前記複数の案内壁が、前記複数の側面が当該複数の案内壁と接触したときに前記機器板を前記皿孔との整列へと案内する、機器取付台。
【請求項４】
請求項１に記載の機器取付台において、
前記楔インターフェースは医療装置へ連結されている、機器取付台。
【請求項５】
請求項１に記載の機器取付台において、
前記導入面及び前記２つの斜面は、前記鍵穴型スロット孔内で前記楔インターフェースを中心合わせする、機器取付台。
【手続補正書】
【提出日】平成29年1月6日(2017.1.6)
【手続補正１】
【補正対象書類名】特許請求の範囲
【補正対象項目名】全文
【補正方法】変更
【補正の内容】
【特許請求の範囲】
【請求項１】
個体におけるがんを処置するための組成物であって、該組成物は、タキサンおよびアルブミンを含むナノ粒子を含み、有効量の該組成物が該個体に投与され、ここで、ヌクレオシド輸送体のレベルが、処置のために該個体を選択するための基礎として使用されることを特徴とする、組成物。
【請求項２】
前記個体が高レベルの前記ヌクレオシド輸送体を有する場合に、処置のために該個体が選択される、請求項１に記載の組成物。
【請求項３】
前記ヌクレオシド輸送体がｈＥＮＴ１である、請求項１または２に記載の組成物。
【請求項４】
有効量のヌクレオシドアナログが、前記組成物と組み合わされて前記個体に投与されることを特徴とする、請求項１〜３のいずれか一項に記載の組成物。
【請求項５】
前記ヌクレオシドアナログがゲムシタビンである、請求項４に記載の組成物。
【請求項６】
有効量の前記組成物を前記個体に投与することの前に、該個体において前記ヌクレオシド輸送体のレベルが決定される、請求項１〜５のいずれか一項に記載の組成物。
【請求項７】
前記ヌクレオシド輸送体レベルが、対照中のヌクレオシド輸送体レベルと比較されることをさらに特徴とする、請求項６に記載の組成物。
【請求項８】
前記ヌクレオシド輸送体のレベルが、免疫組織化学の方法によって決定されるか、タンパク質発現レベルに基づくか、またはｍＲＮＡレベルに基づく、請求項１〜７のいずれか一項に記載の組成物。
【請求項９】
前記ヌクレオシド輸送体のレベルが、Ｈスコアに従って分類される、請求項１〜８のいずれか一項に記載の組成物。
【請求項１０】
前記組成物が、静脈内投与されることを特徴とする、請求項１〜９のいずれか一項に記載の組成物。
【請求項１１】
前記タキサンがパクリタキセルである、請求項１〜１０のいずれか一項に記載の組成物。
【請求項１２】
前記組成物と、前記ヌクレオシドアナログとが、逐次的に投与されることを特徴とする、請求項４〜１１のいずれか一項に記載の組成物。
【請求項１３】
前記組成物における前記ナノ粒子が、前記アルブミンでコーティングされた前記タキサンを含む、請求項１〜１２のいずれか一項に記載の組成物。
【請求項１４】
前記組成物における前記ナノ粒子が、約２００ｎｍ以下の平均直径を有する、請求項１〜１３のいずれか一項に記載の組成物。
【請求項１５】
前記組成物における前記ナノ粒子中のアルブミンとパクリタキセルとの重量比が、約９：１以下である、請求項１〜１４のいずれか一項に記載の組成物。
【請求項１６】
前記組成物における前記ナノ粒子中のアルブミンとパクリタキセルとの重量比が、約９：１である、請求項１〜１５のいずれか一項に記載の組成物。
【請求項１７】
前記アルブミンがヒト血清アルブミンである、請求項１〜１６のいずれか一項に記載の組成物。
【請求項１８】
前記個体がヒトである、請求項１〜１７のいずれか一項に記載の組成物。
【請求項１９】
１）タキサンおよびアルブミンを含むナノ粒子を含む組成物と、２）ヌクレオシド輸送体のレベルを決定するための薬剤とを含む、キット。
【請求項２０】
前記ヌクレオシド輸送体がｈＥＮＴ１である、請求項１９に記載のキット。
【請求項２１】
前記ヌクレオシド輸送体のレベルを決定するための前記薬剤が、該ヌクレオシド輸送体を認識する抗体である、請求項１９または２０に記載のキット。
【請求項２２】
前記タキサンがパクリタキセルである、請求項１９から２１のいずれか一項に記載のキット。
【手続補正２】
【補正対象書類名】明細書
【補正対象項目名】００１６
【補正方法】変更
【補正の内容】
【００１６】
本発明のこれらの態様および利点、ならびに他の態様および利点は、後続の詳細な説明および付属の特許請求の範囲から明らかとなる。本明細書に記載される多様な実施形態の１つの特性、一部の特性、またはすべての特性を組み合わせて、本発明の他の実施形態を形成することができる。
特定の実施形態では、例えば以下が提供される：
（項目１）
個体におけるがんを処置する方法であって、タキサンおよびアルブミンを含むナノ粒子を含む有効量の組成物を該個体に投与するステップを含み、ヌクレオシド輸送体のレベルが、処置のために該個体を選択するための基礎として使用される、方法。
（項目２）
前記個体が高レベルの前記ヌクレオシド輸送体を有する場合に、処置のために該個体が選択される、項目１に記載の方法。
（項目３）
前記ヌクレオシド輸送体がｈＥＮＴ１である、項目１に記載の方法。
（項目４）
有効量のヌクレオシドアナログを前記個体に投与するステップを含む、項目１に記載の方法。
（項目５）
前記ヌクレオシドアナログがゲムシタビンである、項目４に記載の方法。
（項目６）
前記ヌクレオシド輸送体のレベルが、免疫組織化学の方法によって決定される、項目１に記載の方法。
（項目７）
前記ヌクレオシド輸送体のレベルが、タンパク質発現レベルに基づく、項目１に記載の方法。
（項目８）
前記ヌクレオシド輸送体のレベルが、ｍＲＮＡレベルに基づく、項目１に記載の方法。
（項目９）
タキサンおよびアルブミンを含むナノ粒子を含む有効量の前記組成物を前記個体に投与するステップの前に、該個体において前記ヌクレオシド輸送体のレベルを決定するステップを含む、項目１に記載の方法。
（項目１０）
前記ヌクレオシド輸送体レベルを、対照中のヌクレオシド輸送体レベルと比較するステップをさらに含む、項目９に記載の方法。
（項目１１）
前記ヌクレオシド輸送体のレベルが、免疫組織化学の方法によって決定される、項目９に記載の方法。
（項目１２）
前記ヌクレオシド輸送体のレベルが、Ｈスコアに従って分類される、項目１１に記載の方法。
（項目１３）
タキサンおよびアルブミンを含むナノ粒子を含む前記組成物が、静脈内投与される、項目１に記載の方法。
（項目１４）
前記タキサンがパクリタキセルである、項目１に記載の方法。
（項目１５）
タキサンおよびアルブミンを含むナノ粒子を含む前記組成物と、前記ヌクレオシドアナログとが、逐次的に投与される、項目１に記載の方法。
（項目１６）
前記組成物における前記ナノ粒子が、前記アルブミンでコーティングされた前記タキサンを含む、項目１に記載の方法。
（項目１７）
前記組成物における前記ナノ粒子が、約２００ｎｍ以下の平均直径を有する、項目１に記載の方法。
（項目１８）
前記アルブミンがヒト血清アルブミンである、項目１に記載の方法。
（項目１９）
前記個体がヒトである、項目１に記載の方法。
（項目２０）
１）タキサンおよびアルブミンを含むナノ粒子を含む組成物と、２）ヌクレオシド輸送体のレベルを決定するための薬剤とを含む、キット。
（項目２１）
前記ヌクレオシド輸送体がｈＥＮＴ−１である、項目２０に記載のキット。
（項目２２）
前記ヌクレオシド輸送体のレベルを決定するための前記薬剤が、該ヌクレオシド輸送体を認識する抗体である、項目２０に記載のキット。
（項目２３）
前記タキサンがパクリタキセルである、項目２０に記載のキット。
【手続補正書】
【提出日】平成29年1月5日(2017.1.5)
【手続補正１】
【補正対象書類名】明細書
【補正対象項目名】００５９
【補正方法】変更
【補正の内容】
【００５９】
条項１０
前記供給流路が、前記複数の中空繊維膜の間に延在するが、前記透過外側部との接触から分離される、条項９に記載のモジュール。
【手続補正２】
【補正対象書類名】明細書
【補正対象項目名】００６０
【補正方法】変更
【補正の内容】
【００６０】
条項１１
前記供給流路が、前記複数の中空繊維膜の間に延在するコンジットであって、前記プロダクトチューブシートによって固定される第１端部を有し、且つ前記供給チューブシートによって固定される第２端部を有するコンジットによって部分的に画定され、前記第１端部が前記供給ポートと流体連通し、前記コンジットが前記供給流路を前記複数の中空繊維膜の前記透過外側部との接触から分離し、前記第２端部が前記複数の中空繊維膜の前記供給端部と流体連通する、条項１０に記載のモジュール。
【手続補正３】
【補正対象書類名】明細書
【補正対象項目名】００６２
【補正方法】変更
【補正の内容】
【００６２】
条項１３
前記ガス分離モジュールが、航空機燃料タンク可燃性低減システムが備える空気分離モジュールであり、前記ガス供給物が空気供給物を含み、前記第１ガスが酸素を含み、前記第２ガスが窒素を含み、前記方法が、
窒素富化空気を含む前記不透過物を前記航空機に搭載される燃料タンクに供給することを更に含む、条項１２に記載の方法。
【手続補正４】
【補正対象書類名】明細書
【補正対象項目名】００６３
【補正方法】変更
【補正の内容】
【００６３】
条項１４
前記膜流路に対して対向する前記供給流路によって可能にされるように、前記供給流路と前記膜流路との間で熱を交換することを更に含み、結果として、前記ガス分離モジュールの分離の効率性が向上する、条項１２に記載の方法。
【手続補正５】
【補正対象書類名】明細書
【補正対象項目名】００６４
【補正方法】変更
【補正の内容】
【００６４】
条項１５
前記ガス分離膜の前記供給端部の温度の華氏１０度内である前記ガス分離膜の前記プロダクト端部の温度を確立することを更に含む、条項１２に記載の方法。
【手続補正６】
【補正対象書類名】明細書
【補正対象項目名】００６５
【補正方法】変更
【補正の内容】
【００６５】
条項１６
前記ガス分離モジュールに対する構成を提供すること、１つ又は複数のプロセス条件を選択すること、及び結果として、ガス分離のエンタルピーに起因する前記ガス分離膜内の温度低下の少なくとも一部を補うことを更に含む、条項１２に記載の方法。
【手続補正７】
【補正対象書類名】明細書
【補正対象項目名】００６６
【補正方法】変更
【補正の内容】
【００６６】
条項１７
前記ハウジングが内側シェル及び外側シェルを備え、前記ガス分離膜が前記内側シェルの内部にあり、前記ガス供給物を前記供給流路に沿って流すことが、前記ガス供給物を前記内側シェルと前記外側シェルとの間の通路に沿って流すことを含む、条項１２に記載の方法。
【手続補正８】
【補正対象書類名】明細書
【補正対象項目名】００６７
【補正方法】変更
【補正の内容】
【００６７】
条項１８
前記ガス供給物を前記供給流路に沿って流すこと、又は前記ガス供給物を前記膜流路に沿って流すこと、又はその両方が、前記ガス供給物を複数の分離された流路に沿って流すことを含む、条項１２に記載の方法。
【手続補正９】
【補正対象書類名】明細書
【補正対象項目名】００６８
【補正方法】変更
【補正の内容】
【００６８】
条項１９
前記ガス分離膜が複数の中空繊維膜を備え、前記ガス分離モジュールが、前記複数の中空繊維膜の前記供給端部を固定する前記ハウジングの内部の供給チューブシート、及び前記複数の中空繊維膜の前記プロダクト端部を固定する前記ハウジングの内部のプロダクトチューブシートを備え、前記方法が、
前記供給チューブシートで前記ガス供給物と前記複数の中空繊維膜の前記透過外側部を分離すること、及び前記プロダクトチューブシートで前記複数の中空繊維膜の前記透過外側部と前記不透過物を分離することを更に含む、条項１２に記載の方法。
【手続補正１０】
【補正対象書類名】明細書
【補正対象項目名】００６９
【補正方法】変更
【補正の内容】
【００６９】
条項２０
前記供給流路が前記複数の中空繊維膜の間を延在し、前記方法が、前記供給流路を前記透過外側部との接触から分離することを更に含む、条項１９に記載の方法。
【手続補正１１】
【補正対象書類名】明細書
【補正対象項目名】００７１
【補正方法】削除
【補正の内容】
【手続補正書】
【提出日】平成29年1月19日(2017.1.19)
【手続補正１】
【補正対象書類名】特許請求の範囲
【補正対象項目名】全文
【補正方法】変更
【補正の内容】
【特許請求の範囲】
【請求項１】
ＦＥＲ骨格構造型を有する結晶性ゼオライトであって、該ゼオライトが約５００ｎｍ以下の寸法をｃ−軸方向に有する結晶子を有するゼオライトを含む触媒の存在下、酢酸メチルおよびメタノールを接触させる工程を含む酢酸およびジメチルエーテルの併産方法。
【請求項２】
結晶子がｃ−軸方向に約３５０ｎｍ以下の寸法を有する請求項１記載の方法。
【請求項３】
結晶子がｃ−軸方向に約２５０ｎｍ以下の寸法を有する請求項１又は２記載の方法。
【請求項４】
結晶子の少なくとも７０％がｃ−軸方向に約２５０ｎｍ以下の寸法を有する請求項３記載の方法。
【請求項５】
結晶子のｃ−軸方向の寸法対ｂ−軸方向の寸法の比が３：１以下となる寸法を有する請求項１乃至４のいずれか一項に記載の方法。
【請求項６】
ゼオライトは、Ｎ２吸着により測定されたメソ細孔容積を、少なくとも０．１ｃｍ３／ｇで有する請求項１乃至５のいずれか一項に記載の方法。
【請求項７】
Ｎ２吸着により測定されたメソ細孔容積が、０．１〜０．２ｃｍ３／ｇである請求項６記載の方法。
【請求項８】
ＦＥＲ骨格構造型ゼオライトはアルカリ金属形態である請求項１乃至７のいずれか一項に記載の方法。
【請求項９】
ゼオライトは、その陽イオン交換容量の１モル％〜６０モル％を、一つ以上のアルカリ金属陽イオンで占められた陽イオン交換容量を有する請求項８記載の方法。
【請求項１０】
アルカリ金属がセシウムである請求項８又は９記載の方法。
【請求項１１】
ゼオライトがフェリエライトである請求項１乃至１０のいずれか一項に記載の方法。
【請求項１２】
触媒が耐火性酸化物バインダーを含む請求項１乃至１１のいずれか一項に記載の方法。
【請求項１３】
水を、方法における総供給物に基づき、０．１〜６０モル％の範囲の量で方法に加える請求項１乃至１２のいずれか一項に記載の方法。
【請求項１４】
方法を気相で稼働する請求項１乃至１３のいずれか一項に記載の方法。
【請求項１５】
方法を１７０℃〜３００℃の温度で実施する請求項１乃至１４のいずれか一項に記載の方法。
【請求項１６】
方法を大気圧から３０ｂａｒｇまでの範囲の圧力で実施する請求項１乃至１５のいずれか一項に記載の方法。
【請求項１７】
ゼオライトは、請求項１８乃至３３のいずれか一項に記載の方法により調製される、請求項１乃至１６のいずれか一項に記載の方法。
【請求項１８】
ＦＥＲ骨格構造型を有する結晶性ゼオライトを調製する方法であって、該ゼオライト結晶子は、ｃ−軸方向に約５００ｎｍ以下の寸法を有し、該方法は：
ａ）シリカ源、アルミナ源、アルカリ金属および飽和窒素含有複素環化合物を含む合成混合物であって、該混合物が、モルにおいて、
Ｒ＋／（Ｒ＋＋Ｍ＋）      ０．２−１．０
ＯＨ−／ＳｉＯ２        ０．０５−０．５
Ｈ２Ｏ／ＯＨ−              ４１−５００
ＳｉＯ２／Ａｌ２Ｏ３          ９−２００
ここで、Ｒは飽和窒素含有複素環化合物であり、Ｍはアルカリ金属である組成を有する混合物を調製し；
ｂ）該混合物を撹拌しながら、９０〜２００℃の温度で加熱し；および
ｃ）ＦＥＲ型ゼオライトを回収することを含む調製方法。
【請求項１９】
請求項１８に記載の方法は：
ｄ）回収されたＦＥＲ型ゼオライトに存在する飽和窒素含有複素環化合物の少なくとも一部を、約５００℃〜約６００℃の温度で加熱することにより除去して、焼成ゼオライトを得て；
ｅ）焼成ゼオライトを、アンモニウムイオン源と接触させてアンモニウムイオン交換ゼオライトを提供し；および
ｆ）アンモニウムイオン交換ゼオライトを、約５００℃〜約６００℃の温度で焼成してＦＥＲ型ゼオライトの水素形態を得る
工程を更に含む請求項１８に記載の方法。
【請求項２０】
飽和窒素含有複素環化合物は複素５員環又は複素６員環を含む請求項１８または１９記載の方法。
【請求項２１】
複素環は１個から２個の窒素原子を含む請求項２０記載の方法。
【請求項２２】
複素環は一つ以上のアルキル基で置換される２０または２１に記載の方法。
【請求項２３】
飽和窒素含有複素環化合物はＮ−アルキル飽和窒素含有複素環化合物である請求項２１記載の方法。
【請求項２４】
飽和窒素含有複素環化合物は、ピロリジン、Ｎ−メチルピロリジン、およびピペリジンから選択される請求項１８乃至２３のいずれか一項に記載の方法。
【請求項２５】
合成混合物が７より大のｐＨを有する請求項１８乃至２４のいずれか一項に記載の方法。
【請求項２６】
合成混合物には追加の硫酸を含まない請求項１８乃至２５のいずれか一項に記載の方法。
【請求項２７】
シリカ源がコロイド状シリカである請求項１８乃至２６のいずれか一項に記載の方法。
【請求項２８】
コロイド状シリカが水における２０〜４０重量％のシリカの溶液である請求項２７記載の方法。
【請求項２９】
アルカリ金属源が水酸化ナトリウムおよび水酸化カリウムから選択される請求項１８乃至２８のいずれか一項に記載の方法。
【請求項３０】
合成混合物を１３０℃〜１８０℃で加熱する請求項１８乃至２９のいずれか一項に記載の方法。
【請求項３１】
合成混合物を１３０℃〜１５０℃で１７日間以上加熱する請求項３０記載の方法。
【請求項３２】
調製されたゼオライトの陽イオン交換部位の少なくとも１モル％が、一つ以上のアルカリ金属陽イオンで交換されている請求項１８乃至３１のいずれか一項に記載の方法。
【請求項３３】
ゼオライトがフェリエライトである請求項３２記載の方法。
【請求項３４】
ゼオライトのアルカリ金属形態がセシウム形態である請求項３２又は３３記載の方法。
【手続補正書】
【提出日】平成29年2月3日(2017.2.3)
【手続補正１】
【補正対象書類名】特許請求の範囲
【補正対象項目名】全文
【補正方法】変更
【補正の内容】
【特許請求の範囲】
【請求項１】
２以上のアジド基が付着しているアジド化合物と、２以上のアルキン基が付着しているアルキン化合物との反応生成物であって、前記アジド基及び前記アルキン基が１，３−双極子付加環化において反応して１，４−二置換トリアゾールを形成し、前記アジド化合物若しくは前記アルキン化合物又はその両方が−Ｏ−（Ｃ＝Ｏ）−ＮＲ−官能基（Ｒは水素又はアルキルである）を含む、反応生成物。
【請求項２】
前記アジド化合物及び／又は前記アルキン化合物が、各官能基が付着しているプレポリマーを含む、請求項１に記載の反応生成物。
【請求項３】
前記プレポリマーがポリウレタンプレポリマーである、請求項２に記載の反応生成物。
【請求項４】
前記アジド化合物が前記アジド基のβ−炭素上にヒドロキシル基を有する、請求項１〜３のいずれか一項に記載の反応生成物。
【請求項５】
前記アジド化合物が、ポリイソシアネート又はイソシアネート終端ポリウレタンプレポリマーと、イソシアネートに対して反応性の官能基を有するエポキシ化合物との反応、及び求核性アジドとのその後の反応により得ることができる、請求項４に記載の反応生成物。
【請求項６】
前記官能基が、ヒドロキシル基である、請求項５に記載の反応生成物。
【請求項７】
前記アジド化合物が、求核性アジドとエポキシ化合物との反応、及びポリイソシアネートとのその後の反応により得ることができる、請求項１〜３のいずれか一項に記載の反応生成物。
【請求項８】
前記エポキシ化合物はグリシドールである、請求項５〜７のいずれか一項に記載の反応生成物。
【請求項９】
前記ポリイソシアネートがＭＤＩ又は末端ＭＤＩ残基を含有するプレポリマーである、請求項５〜８のいずれか一項に記載の反応生成物。
【請求項１０】
前記アルキン化合物が、エポキシ化合物と、エポキシドに対して反応性の官能基を有するアルキンとの反応、及びアルキン基含有アルキル化剤とのその後の反応により得ることができる、請求項１〜９のいずれか一項に記載の反応生成物。
【請求項１１】
前記官能基が、アミン基又はチオール基である、請求項１０に記載の反応生成物。
【請求項１２】
前記アルキン基含有アルキル化剤がプロパルギルハロゲン化物である、請求項１０又は１１に記載の反応生成物。
【請求項１３】
前記アルキン化合物が、ポリイソシアネートと、イソシアネートに対して反応性の官能基を有するアルキンとの反応によって得ることができる、請求項１〜９のいずれか一項に記載の反応生成物。
【請求項１４】
前記官能基が、アミン基、ヒドロキシ基又はチオール基である、請求項１３に記載の反応生成物。
【請求項１５】
コーティング剤、シーラント、接着剤としての、及びエラストマー用途における請求項１〜１４のいずれか一項に記載の反応生成物の使用。
【請求項１６】
前記コーティング剤が、フラットルーフ用コーティング剤である、請求項１５に記載の使用。
【請求項１７】
請求項１〜１４のいずれか一項に記載の反応生成物を作製する方法であって、該方法が、
２以上のアジド基が付着しているアジド化合物と、２以上のアルキン基が付着しているアルキン化合物とを、任意の触媒及び溶媒の存在下で反応させることを含む、
請求項１〜１４のいずれか一項に記載の反応生成物を作製する方法。
【請求項１８】
前記溶媒が、ＤＭＦ、ＤＭＳＯ、若しくはメトキシプロピルアセテート、又はそれらの混合物を含む、請求項１７に記載の方法。
【請求項１９】
前記反応生成物を提供する反応が、ＣｕＩ系触媒とトリフェニルホスフィンとを含むものである、請求項１７又は１８に記載の方法。
【請求項２０】
前記ＣｕＩ系触媒が、酢酸銅（ＩＩ）一水和物からｉｎ  ｓｉｔｕで調製される触媒である、請求項１９に記載の方法。
【請求項２１】
請求項１〜１４のいずれか一項に記載の反応生成物のコーティング剤を含む基層。